(57)【要約】      （修正有）【課題】コンピュータのソケットに挿入して使用する回路基板が、曲がることを防ぐ固定機構を提供する。【解決手段】回路基板５２が曲がることを防ぐための固定機構５４に係り、当該固定機構は、上方に摺動スロットが形成される第１のロッド５６と、該第１のロッドにおける摺動スロットの内側において取り付けられる第２のロッド５８とを有する。第２のロッドの一端は回路基板において固定され、締付けスロットは、回路基板の基板５２１を締め付けるよう第２のロッドの一側において形成される。【選択図】図１
0003170270.tif 000002
【実用新案登録請求の範囲】
【請求項１】
回路基板が曲がることを防ぐための固定機構であって、
上方に摺動スロットが形成される第１のロッドと、
該第１のロッドにおける前記摺動スロットの内側において摺動可能に取り付けられる第２のロッドと、
によって特徴付けられ、
前記第２のロッドの一端は前記回路基板において固定され、
締付けスロットは、前記回路基板の基板を締め付けるよう前記第２のロッドの一側において形成される、
固定機構。
【請求項２】
基部は、前記回路基板のフレームにおいて固定するよう前記第２のロッドの前記端部において配置される、
ことを特徴とする請求項１記載の固定機構。
【請求項３】
前記第１のロッドにおける前記摺動スロットの内側において前記第２のロッドを固定するための固定構成要素によって特徴付けられる、
請求項１記載の固定機構。
【請求項４】
前記固定構成要素は、前記第１のロッドにおける前記摺動スロットの内側において前記第２のロッドをねじ込むためのねじ込み構成要素である、
ことを特徴とする請求項３記載の固定機構。
【請求項５】
固定突起は、前記回路基板の前記基板において固定するよう前記第１のロッドの一端において形成される、
ことを特徴とする請求項１記載の固定機構。
【請求項６】
基部は、前記回路基板を支持表面において支持するよう第２のロッドの前記端部において配置され、前記第１のロッドの前記固定突起は、前記回路基板の前記基板の下部において固定され、前記第１のロッド及び前記第２のロッドは、前記回路基板の前記基板に対して実質的に垂直である、
ことを特徴とする請求項５記載の固定機構。
【請求項７】
ストッパは、前記摺動スロットのうちいずれか一項記載の側における前記第２のロッドを制約するよう前記第１のロッドにおける前記摺動スロットの一側において形成される、
ことを特徴とする請求項１記載の固定機構。
【考案の詳細な説明】
【技術分野】
【０００１】
本考案は、請求項１記載の前提特徴部分（pre-characterizing  clauses）に従った固定機構（fixing  mechanism）に係る。
【背景技術】
【０００２】
近代の情報社会において、コンピュータは日常の仕事に対処するための重要なツールとなってきている。コンピュータ産業の急速な発展に伴って、多種のインタフェイスカードの組立て技術が消費者及びコンピュータ産業にとっての懸念事項となっている。しかしながら、コンピュータの構成要素がますます強力になっていることに伴い、インタフェイスカードの寸法及び重量も相応に増大している。例えば、コンピュータにおいて取り付けられる独立ビデオカードは、メモリチップ、及び独立カードによって生成される熱を放散させるための放熱構成要素等である多くの構成要素を搭載され、コンピュータ性能を高めるようにする。結果として、インタフェイスカードの寸法及び重量は増大される。このようにして、より大きな寸法を有する回路基板がホストのソケットへと挿入されるとき、回路基板の過重量及び広い基板範囲により、曲げ変形が引き起される。したがって、信頼性及び製品寿命が低減される。上述された欠点を解決するよう、回路基板の強度を高めるためのリンク構造設計を取り入れる製品（product  adopting  linking  structure  design）が市場に出てきている。しかしながら該製品は、インタフェイスカードにおいて固定され、特定の寸法を有する複数の回路基板に対して適している。該製品は、異なる寸法の多種の回路基板に対して適用され得ず、製品のカスタマイズを達成することができない。
【考案の概要】
【考案が解決しようとする課題】
【０００３】
このことを考慮して、本考案は、上述された欠点を解決するよう回路基板が曲がることを防ぐための固定機構を与える、ことを目的とする。
【課題を解決するための手段】
【０００４】
該目的は、請求項１記載の固定機構によって達成される。従属請求項は、対応する更なる展開及び改善に関連する。
【０００５】
以下に示される詳細な説明からより明らかとなる通り、本考案の固定機構は、回路基板が曲がることを防ぐために使用される。当該固定機構は、上方に摺動スロットが形成される第１のロッド、及び第１のロッドにおける摺動スロットの内側において摺動可能に取り付けられる第２のロッドを有する。第２のロッドの一端は回路基板において固定され、締付けスロットは、回路基板の基板を締め付けるよう第２のロッドの側部に形成される。
【０００６】
以下において本考案は更に例として示され、添付の図面が参照される。
【図面の簡単な説明】
【０００７】
【図１】本考案の一実施例に従った回路基板装置の組立図である。
【図２】本考案の一実施例に従った回路基板装置の分解図である。
【図３】本考案の実施例に従った固定機構を図示する。
【図４】本考案の実施例に従った回路基板装置のある角度での図である。
【図５】本考案の実施例に従った回路基板装置のある角度での図である。
【図６】本考案の実施例に従った回路基板装置のある角度での図である。
【図７】本考案の他の実施例に従って固定機構が回路基板を固定することを図示する。
【考案を実施するための形態】
【０００８】
図１及び図２が参照される。図１及び図２は夫々、本考案の望ましい一実施例に従った回路基板装置５０の組立図及び分解図である。回路基板装置５０は、周辺構成要素インタフェイス（PCI）、周辺構成要素インタフェイス−エクスプレス（PCI-E）、アクセラレーテッド・グラフィクス・ポート（グラフィック用高速バス、AGP）、他のバス・インタフェイス等である多種の伝送インタフェイス（transmission  interfaces）に適合する多種のインタフェイスカードであり得る。更に、回路基板装置５０は、オーディオカード、SCSIカード、ネットワークカード、ビデオカード、メモリカード等である機能インタフェイスカードであり得る。回路基板装置５０は、基板５２１及び該基板５２１に対して接続されるフレーム５２３を有する回路基板５２を有する。フレーム５２３は、ケーシングに係合するよう使用され、回路基板装置５０はケーシングの内側において安定して取り付けられ得、フレーム５２３はＩ／Ｏ金属部であり得る。回路基板装置５０は更に、回路基板５２の基板５２１が曲がることを防ぐよう、回路基板５２に組み合わされる固定機構５４を有する。図１乃至図３が参照される。図３は、本考案の望ましい実施例に従った固定機構５４を示す。固定機構５４は、上方に摺動スロット５６１を形成される第１のロッド５６を有する。ストッパ５６３は摺動スロット５６１の側部において形成され、固定突起（ラグ）５６５は、回路基板５２の基板５２１において固定するよう第１のロッド５６の一端において形成される。固定機構５４は更に、第１のロッド５６における摺動スロット５６１の内側に摺動可能に取り付けられる第２のロッド５８を有する。言い換えれば、第２のロッド５８の一端は、回路基板５２のフレーム５２３において固定され、更に、第２のロッド５８の他端は、第１のロッド５６における摺動スロット５６１の内側に摺動可能に取り付けられ得る。例えば、基部５８１は、回路基板５２のフレーム５２３において固定するよう第２のロッド５８の端部において配置される。更に、締付けスロット５８３は、回路基板５２の基板５２１を締め付けるよう第２のロッド５８の一側において形成される。
【０００９】
図１乃至図６が参照される。図４乃至６は夫々、本考案の望ましい実施例に従ったある角度における回路基板５０を示す。第２のロッド５８が第１のロッド５６における摺動スロット５６１の内側において摺動することができるため、第２のロッド５８の位置は、第１のロッド５６に対して摺動スロット５６１の内側において調整され得る。このようにして、固定機構５４の全長は相応して調整され得る。更に、第１のロッド５６におけるストッパ５６３は、第１のロッド５６における摺動スロット５６１の内側において第２のロッド５８の一部を抑制することができるため、第１のロッド５６における摺動スロット５６１から第２のロッド５８が落下することを避けるようにする。上述された摺動機構によれば、固定機構５４の長さは、異なる寸法における多種の回路基板５２に対して調整され得る。したがって、固定機構５４の有用性は高められ得、異なる寸法における回路基板に対する異なる固定機構を製造する多くの工具費は抑えられ得る。例えば、固定機構５４がより長い寸法を有する回路基板に対して適合されるとき、第２のロッド５８は、第１のロッド５６における摺動スロット５６１から僅かに外方向に引かれ得る。固定機構５４がより短い寸法を有する回路基板に対して適合されるとき、第２のロッド５８は、第１のロッド５６における摺動スロット５６１に対して僅かに内方向に押され得る。加えて、固定機構５４は、第１のロッド５６における摺動スロット５６１の内側において第２のロッド５８を固定するよう固定構成要素６０を更に有し得る。言い換えれば、固定機構５４が異なる寸法における回路基板５２に対して寸法において調整された後、固定構成要素６０は第２のロッド５８及び第１のロッド５６を固定し得、第２のロッド５８は、第１のロッド５６に対して摺動することが出来ない。この実施例において、固定構成要素６０は、第１のロッド５６における摺動スロット５６１の内側において第２のロッド５８をねじ込むためのスクリュ等であるねじ込み構成要素（screwing  component）であり得る。固定構成要素６０は、第２のロッド５８と第１のロッド５６との間における相対位置を固定するとき、固定機構５４は回路基板５２において固定され得、回路基板５２の基板５２１の平面剛性が高められる。このようにして、大きな寸法を有する回路基板５２がホストのソケットへと挿入されるとき、その重量及び基板５２１の非常に大きい範囲（over-sized  area）により曲げに抵抗することができる。結果として、信頼性及び製品寿命が高められ得る。固定機構５４は回路基板５２としっかりと組み合わされ得、結果として、第２のロッド５８の基部５８１は回路基板５２のフレーム５２３においてねじ込まれ、第２のロッド５６の固定突起５６５は、回路基板５２の基板５２１において固定され、締付けスロット５８３は回路基板５２の基板５２１を締め付ける。
【００１０】
更に図７が参照される。図７は、本考案の他の実施例に従って固定機構５４が回路基板５２を固定することを示す図である。本考案の固定機構５４は、回路基板５２の下方側部又は上方側部を支持するよう使用され得る。言い換えると、回路基板５２が水平の向きにおいてメインボードへと懸架して挿入される（suspendingly  inserted）とき（例えば、インタフェイスカードとタワー型パーソナルコンピュータ（tower  personal  computer）に対するメインボードと間における組み合わせ）、ホストのソケットにおいて固定される回路基板５２の一端は固定端部として考えられ得る一方、懸架端部（suspending  end）は自由端として考えられ得るため、回路基板５２の構造は、カンチレバービーム構造として考え得られ得る。回路基板５２がオーバーサイズ又はオーバーウエイトであるとき、曲げ及び垂下（drooping）がもたらされ得る。回路基板５２を支持するよう、固定機構５４の一端は回路基板５２の基板５２１において固定され得、固定機構５４の他端はケーシングの下方側部等である支持表面において終端する。このようにして、回路基板５２は曲げ及び垂下を避け得る。例えば、前述された実施例において示される通り、第２のロッド５８の基部５８１は、支持表面において回路基板５２を支持するよう使用され得、第１のロッド５６の固定突起５６５は、回路基板５２の基板５２１の下部において固定され得る。したがって、第１のロッド５６及び第２のロッド５８は、回路基板５２の基板５２１に対して実質的に垂直であり、回路基板５２を支持するようにする。第１のロッド５６の固定突起５６５は、前述された実施例において記載される構造と同一の構造であり得るが、その上方にスクリュ穴を形成される。このようにして、固定突起５６５は、スクリュによって回路基板５２の基板５２１において固定され得る。あるいは、この実施例における固定突起５６５は更に、その上方に延在するプレート構造を備え得、プレート構造及び回路基板５２の基板５２１をスクリュによってねじ込むようにする。固定方法は、前述された実施例において記載されたものに限らず、実際の需要に依存する、ことが留意されるべきである。
【００１１】
先行技術と比較して、本考案は、回路基板が曲がることを防ぐための摺動可能な機構を有する固定機構、及びそれを使用する回路基板を与える。固定機構の摺動可能な機構によれば、固定機構は、異なる寸法である回路基板に対して寸法を調整され得る。したがって製品カスタマイズを達成するよう、固定機構の有用性が高められ得、異なる寸法である回路基板に対する異なる固定機構を製造する工具費の多くが節約され得る。
【符号の説明】
【００１２】
５０  回路基板装置
５２  回路基板
５２１  基板
５２３  フレーム
５４  固定機構
５６  第１のロッド
５６１  摺動スロット
５６３  ストッパ
５６５  固定突起
５８  第２のロッド
５８１  基部
５８３  締付けスロット
６０  固定構成要素
【図１】
0003170270.tif 000003
【図２】
0003170270.tif 000004
【図３】
0003170270.tif 000005
【図４】
0003170270.tif 000006
【図５】
0003170270.tif 000007
【図６】
0003170270.tif 000008
【図７】
0003170270.tif 000009